(57)【要約】【課題】商品等に貼付されたＱＲ情報を有効に活用して商品を購入する顧客のリピータ化を図ることで商品の販売促進効果を確実に得る。【解決手段】店内広告等６又は販売商品７に生活情報を表示するＵＲＬが印刷された第１のＱＲシート８を貼付するとともに、販売商品７に景品情報を表示するＵＲＬが印刷された第２のＱＲシート９を貼付する商品販売者１と、サーバ２と、携帯電話機４を携えて来店する来店客３とで構築されるビジネスシステムにおいて、来店客３携帯電話機４によって第１のＱＲシート８又は第２のＱＲシート９を撮影してＱＲ情報を取得し、該ＱＲ情報に基づいてサーバ２にアクセスして生活情報又は景品情報を携帯電話機４で取得し、生活情報はこれを利用し、景品情報を取得した場合は景品を受領する一方、商品販売者１は来店客３個々の会員情報を取得しこれを利用することができる。【選択図】図１
2011065398.tif 000002
【特許請求の範囲】
【請求項１】
店内に掲示される広告等（６）又は店内にて販売する商品（７）に生活情報を表示するＵＲＬがＱＲコードとして印刷された第１のＱＲシート（８）を貼付するとともに、店内にて販売する商品（７）に景品情報を表示するＵＲＬがＱＲコードとして印刷された第２のＱＲシート（９）を貼付する商品販売者（１）と、上記商品販売者（１）又はＱＲシート製作者（５）が運用するサーバ（２）と、携帯電話機（４）を携えて来店する来店客（３）とで構築されるビジネスシステムであって、
上記来店客（３）は、上記携帯電話機（４）によって上記店内広告（６）又は店内にて購入した上記商品（７）に貼付された上記第１のＱＲシート（８）、又は店内にて購入した上記商品（７）に貼付された上記第２のＱＲシート（９）を撮影してＱＲ情報を取得し、該ＱＲ情報に基づいて上記ＵＲＬにアクセスして上記生活情報又は上記景品情報を上記携帯電話機（４）において表示させることで取得し、上記生活情報を取得した場合にはこれを利用し、上記景品情報を取得した場合には上記商品販売者（１）に対して景品の受領を請求してこれを受領することを特徴とするＱＲコード情報を用いたビジネスシステム。
【請求項２】
請求項１において、
上記第２のＱＲシート（９）を撮影してＱＲ情報を取得した場合には、上記景品情報の取得の前提として、上記サーバ（２）に対して会員登録を行なうものとしたことを特徴とするＱＲコード情報を用いたビジネスシステム。
【請求項３】
請求項１において、
上記景品情報の対象とされる景品が、当該店及び当該店と一定の関係を有する他店においてのみ有効とされる商品券であることを特徴とするＱＲコード情報を用いたビジネスシステム。
【請求項４】
請求項１、２又は３において、
上記商品販売者（１）は、上記サーバ（２）へのアクセス数をカウントすることで対象商品の在庫管理及びＱＲシート製作者（５）への上記第２のＱＲシート（９）の発注管理を行なうことを特徴とするＱＲコード情報を用いたビジネスシステム。
【請求項５】
請求項１、２、３又は４において、
上記商品販売者（１）は、上記サーバ（２）へのアクセス状況に基づいて上記来店客（３）の来店動向を把握することを特徴とするＱＲコード情報を用いたビジネスシステム。
【請求項６】
請求項１，２，３、４又は５において、
上記ＱＲシート製作者（５）は、上記サーバ（２）へのアクセス状況に基づいて上記第１のＱＲシート（８）及び第２のＱＲシート（９）の必要製作数を予測して上記商品販売者（１）からの受注に備えることを特徴とするＱＲコード情報を用いたビジネスシステム。
【発明の詳細な説明】
【技術分野】
【０００１】
本願発明は、ＱＲコード（登録商標。以下、同じ）にて表示された情報を用いて商品の販売促進を図るようにしたビジネスシステムに関するものである。
【背景技術】
【０００２】
従来から、ＱＲコードで表示された情報を用いて商品の販売促進を図るビジネスシステムは種々提案されている（例えば、特許文献１、特許文献２参照）。
【０００３】
特許文献１に示されるものは、所定数のスタンプを集めた顧客に対して懸賞を与えるシステムであって、顧客に配布されたキャンペーン用紙に印刷されたＱＲコードとか、キャンペーン対象の商品に貼付されたＱＲコードを顧客が携帯電話機で撮影し、電子メールをサーバに送信することで、サーバは顧客のアドレスとスタンプＩＤを対応つけて登録する。そして、スタンプＩＤが所定数に達したとき、サーバはスクラッチカードＩＤを発行し、そのＩＤを埋め込んだＵＲＬを携帯電話機に送信し、顧客がそのＵＲＬをクリックすると、サーバはスクラッチカードの画面を携帯電話機に送信し、顧客はこの画面を見ることで、当り外れを知ることができるものである。
【０００４】
即ち、このシステムは、懸賞をつけることで顧客の購買意欲を高めて商品の販売促進を図ろうとするものである。
【０００５】
特許文献２に示されるものは、広告表示用シールを用いた広告・販促システムであって、ＵＲＬ、ＱＲコード等の情報が印刷されたシールを食品パッケージに貼付し、ユーザがＵＲＬにアクセスして上記情報を取得することで、あるいはＱＲコードをデコードして表示させることで、広告宣伝効果を得て、商品の販売促進に繋げようとするものである。
【先行技術文献】
【特許文献】
【０００６】
【特許文献１】特開２００６−２０２００５号公報
【特許文献２】特開２００７−２０６６６２号公報
【発明の概要】
【発明が解決しようとする課題】
【０００７】
ところが、特許文献１に示されるシステムは、懸賞に応募するためには、キャンペーン商品を購入するか、キャンペーン用紙の配布を受けて、ここに表示されたＱＲコードを顧客が携帯電話機で撮影し電子メールをサーバに送信することを所定回数繰り返す必要があることから、商品の販売促進には寄与できるものの、上記キャンペーン用紙の配布は特定の店舗で配布されるとは限らないことから、必ずしも販売促進効果が得られるとは言い得ないものである。
【０００８】
また、特許文献２に示されるシステムでは、単に商品販売側に情報を開示するに過ぎず、この広告情報によって顧客の誘引効果がどの程度期待できるのか不明であり、販売促進効果を確実に得るという点においては疑問の残るものである。
【０００９】
そこで本願発明は、商品等に貼付されたＱＲ情報を有効に活用して商品を購入する顧客のリピータ化を図ることで商品の販売促進効果を確実に得ることを主たる目的としてなされたものである。
【課題を解決するための手段】
【００１０】
本願発明ではかかる課題を解決するための具体的手段として次のような構成を採用している。
【００１１】
本願の第１の発明では、店内に掲示される広告等６又は店内にて販売する商品７に生活情報を表示するＵＲＬがＱＲコードとして印刷された第１のＱＲシート８を貼付するとともに、店内にて販売する商品７に景品情報を表示するＵＲＬがＱＲコードとして印刷された第２のＱＲシート９を貼付する商品販売者１と、上記商品販売者１又はＱＲシート製作者５が運用するサーバ２と、携帯電話機４を携えて来店する来店客３とで構築されるビジネスシステムにおいて、上記来店客３は、上記携帯電話機４によって上記店内広告６又は店内にて購入した上記商品７に貼付された上記第１のＱＲシート８、又は店内にて購入した上記商品７に貼付された上記第２のＱＲシート９を撮影してＱＲ情報を取得し、該ＱＲ情報に基づいて上記ＵＲＬにアクセスして上記生活情報又は上記景品情報を上記携帯電話機４において表示させることで取得し、上記生活情報を取得した場合にはこれを利用し、上記景品情報を取得した場合には上記商品販売者１に対して景品の受領を請求してこれを受領することを特徴としている。
【００１２】
本願の第２の発明では、上記第１の発明に係るＱＲコード情報を用いたビジネスシステムにおいて、上記第２のＱＲシート９を撮影してＱＲ情報を取得した場合には、上記景品情報の取得の前提として、上記サーバ２に対して会員登録を行なうものとしたことを特徴としている。
【００１３】
本願の第３の発明では、上記第１の発明に係るＱＲコード情報を用いたビジネスシステムにおいて、上記景品情報の対象とされる景品が、当該店及び当該店と一定の関係を有する他店においてのみ有効とされる商品券であることを特徴としている。
【００１４】
本願の第４の発明では、上記第１、第２又は第３の発明に係るＱＲコード情報を用いたビジネスシステムにおいて、上記商品販売者１は、上記サーバ２へのアクセス数をカウントすることで対象商品の在庫管理及びＱＲシート製作者５への上記第２のＱＲシート９の発注管理を行なうことを特徴としている。
【００１５】
本願の第５の発明では、上記第１、第２、第３又は第４の発明に係るＱＲコード情報を用いたビジネスシステムにおいて、上記商品販売者１は、上記サーバ２へのアクセス状況に基づいて上記来店客３の来店動向を把握することを特徴としている。
【００１６】
本願の第６の発明では、上記第１、第２、第３、第４又は第５の発明に係るＱＲコード情報を用いたビジネスシステムにおいて、上記ＱＲシート製作者５は、上記サーバ２へのアクセス状況に基づいて上記第１のＱＲシート８及び第２のＱＲシート９の必要製作数を予測して上記商品販売者１からの受注に備えることを特徴としている。
【発明の効果】
【００１７】
（ａ）本願の第１の発明に係るＱＲコード情報を用いたビジネスシステムによれば、以下のような効果が得られる。
【００１８】
（ａ−１）  例えば、レシピ情報等の実用上有用な生活情報は誰しもがその取得を欲するものであり、また景品を貰うことができる景品情報は客の射幸心を擽り、お得感を与えることから誰しもがその取得を欲するものであるが、上記生活情報は店内に掲示された広告等６に貼付されることからこれを取得しようとすれば必ず来店して上記第１のＱＲシート８を携帯電話機４によって撮影しなければならず、また上記景品情報についても該景品情報は店内にて販売する商品７に貼付されるものであることからこれを取得しようとすれば必ず来店して上記第２のＱＲシート９が貼付された商品を購入し該第２のＱＲシート９を携帯電話機４によって撮影しなければならず、これら何れの場合も客は必ず来店しなければならず、これによって客のリピータ化が促進され、延いては商品の販売促進が図られる、
（ａ−２）  上記商品販売者１は、自店で販売している多数の商品の中から、売れ筋と思われる商品とか利益率の高い商品等の売り上げ増加に寄与し得ると考えられる特定の商品を選択し、この選択した商品に上記第２のＱＲシート９を貼付することで、該第２のＱＲシート９を貼付したことによる景品獲得という期待感が功を奏して、当該商品の更なる販売促進を図ることができる。この際、上記商品販売者１は、上記第２のＱＲシート９を貼付する商品を自由に選択できることから、例えば、上記第２のＱＲシート９が商品の製造時にその包装に印刷されている場合に比して、例えば、当該店の立地条件等に基づいて売れ筋商品（即ち、売り上げ増加に寄与し得ると考えられる）とか、売れ行きが芳しくなく特にその販売増を図りたい商品を選択することができるなど、商品選択の自由度が高く、販売戦略の策定に好都合である。
【００１９】
（ａ−３）  これら（ａ−１）及び（ａ−２）の相乗効果として、上記商品販売者１においては商品の販売促進効果を確実に享受することができる。
【００２０】
（ａ−４）  また、上記各ＱＲシート８、９を製作するＱＲシート製作者５においては、ＱＲシールが貼付された商品の販売促進によってＱＲシートの受注量の増加が期待でき、その業績向上が促進される。
【００２１】
（ａ−５）  さらに、上記来店客３においては、生活情報の取得による日常生活の快適性が促進されるとともに、景品の取得による経済的効果を得ることができる。
【００２２】
（ｂ）本願の第２の発明に係るＱＲコード情報を用いたビジネスシステムによれば、上記（ａ）に記載の効果に加えて以下のような特有の効果が得られる。即ち、この発明では、上記第２のＱＲシート９を撮影してＱＲ情報を取得した場合には、上記景品情報の取得の前提として、上記サーバ２に対して会員登録を行なうものとしているので、上記商品販売者１は、会員情報を容易且つ確実に取得してこれを商品の販売促進に利用することができる。
【００２３】
（ｃ）本願の第３の発明に係るＱＲコード情報を用いたビジネスシステムによれば、上記（ａ）に記載の効果に加えて以下のような特有の効果が得られる。即ち、この発明では、上記景品情報の対象とされる景品が、当該店及び当該店と一定の関係を有する他店においてのみ有効とされる商品券であることから、景品として商品券を取得した来店客３は、この商品券を使用して新たな商品を購入するために再度来店することとなり、このような来店しての商品購入と、それによって得られた商品券を使用して商品を購入するための来店が繰り返されることで、来店客３のリピータ化がより一層促進され、上記（ａ）に記載の効果がより一層確実となる。
【００２４】
（ｄ）本願の第４の発明に係るＱＲコード情報を用いたビジネスシステムによれば、上記（ａ）、（ｂ）又は（ｃ）に記載の効果に加えて以下のような特有の効果が得られる。即ち、この発明では、上記商品販売者１は、上記サーバ２へのアクセス数をカウントすることで対象商品の在庫管理及びＱＲシート製作者５への上記第２のＱＲシート９の発注管理を行なうことができ、これらの管理業務がより簡易且つ確実となり、延いては商品の販売促進に寄与することになる。
【００２５】
（ｅ）本願の第５の発明に係るＱＲコード情報を用いたビジネスシステムによれば、上記（ａ）、（ｂ）、（ｃ）又は（ｄ）に記載の効果に加えて以下のような特有の効果が得られる。即ち、この発明では、上記商品販売者１は、上記サーバ２へのアクセス状況に基づいて上記来店客３の来店動向を把握するようにしているので、例えば、一日の営業時間内の何時ごろに来店客数が増えるのか、一週のうち何曜日に来店客数が増えるのか、等の来店客３の来店動向に関する情報を的確に取得でき、これを商品の販売促進に役立てることができる。
【００２６】
（ｆ）本願の第６の発明に係るＱＲコード情報を用いたビジネスシステムによれば、上記（ａ）、（ｂ）、（ｃ）、（ｄ）又は（ｅ）に記載の効果に加えて以下のような特有の効果が得られる。即ち、この発明では、上記ＱＲシート製作者５は、上記サーバ２へのアクセス状況に基づいて上記第１のＱＲシート８及び第２のＱＲシート９の必要製作数を予測して上記商品販売者１からの受注に備えるようにしているので、上記ＱＲシート製作者５においてはＱＲシールの製作計画をより的確に立てることができ、特に第２のＱＲシート９が貼付された商品の売れ行きを把握することで、この商品の販売数が急増したような場合でも第２のＱＲシート９の不足という事態の発生を未然に回避して上記第２のＱＲシート９が貼付された商品の店頭販売を継続することができ、延いては該商品の販売促進に寄与し得ることになる。
【図面の簡単な説明】
【００２７】
【図１】本願発明の実施の形態に係るＱＲコード情報を用いたビジネスシステムのシステム構成図である。
【発明を実施するための形態】
【００２８】
以下、本願発明を好適な実施形態に基づいて具体的に説明する。
【００２９】
図１には、本願発明の実施形態に係るＱＲコード情報を用いたビジネスシステムの全体構成を示している。このビジネスシステムにおいてその中核となるのは、店舗にて商品の販売を行なう商品販売者１と、この商品販売者１が運用するサーバ２と、来店客３が携帯する携帯電話機４、及びＱＲシールを製作販売するＱＲシート製作者５である。
【００３０】
上記商品販売者１は、上述のように、店舗にて商品の販売を行なうが、その際、店内広告等６に次述の第１のＱＲシート８を貼付してこれを店内の適所に掲示するとともに、店内にて販売する販売商品７の中から選択した特定の商品には上記第１のＱＲシート８及び／又は次述の第２のＱＲシート９を貼付してこれを陳列して販売に供するものである。従って、店内にて販売する販売商品７の中から選択した特定の商品の中には、上記第１のＱＲシート８と上記第２のＱＲシート９の双方が貼付されたものも存在することになる。以下の説明においては、上記販売商品７には上記第１のＱＲシート８と上記第２のＱＲシート９の双方が貼付された場合を例にとって説明する。
【００３１】
尚、上記商品販売者１は、端末機１ａを備えており、次述のサーバ２にアクセスして該サーバ２との間で情報の授受を行なうことができるようになっている。
【００３２】
ここで、上記第１のＱＲシート８と第２のＱＲシート９について説明する。これら各ＱＲシートは、後述のＱＲシート製作者５によって製作され且つ上記商品販売者１に納入されるものであって、ここには各種情報を表示するＵＲＬがＱＲコードによって印刷されており、店内広告等６の適所、あるいは販売商品７の包装に貼付して使用される。
【００３３】
上記第１のＱＲシート８には、上記サーバ２の生活情報（例えば、料理のレシピ情報、食材に関する情報、食材の生産者に関する情報等）を表示するＵＲＬが、ＱＲコードとして印刷されている。
【００３４】
上記第２のＱＲシート９には、上記サーバ２の景品情報（例えば、店内にて販売される商品の購入によって客が受け取ることのできる景品としての商品券の額面とか商品券の受け渡しに関する事項等の景品情報）を表示するＵＲＬがＱＲコードとして印刷されているとともに、景品情報サイトにアクセスするためのＩＤが、剥離タイプのシールによって覆われた状態で印刷されている。
【００３５】
なお、この実施形態では、景品として、自店及び自店と一定の関係のある他店（例えば、自店と同一の系列に属する店とか、フランチャイズ店であって、以下、「自店等」という）においてのみ使用可能な「商品券」を採用しているが、本願発明はこれに限定されるものではなく、例えば、同種又は他種の商品とか旅行クーポン券等も採用できるが、来店客３のリピータ化によって商品の販売促進を図るという観点からすれば、この実施形態のように自店等においてのみ使用できる商品券を景品とするのが最適である。
【００３６】
上記サーバ２は、上記商品販売者１によって運営されるものであって、データベース２ａを備えている。このデータベース２ａには、上記生活情報に関するファイル、景品情報に関するファイルの他に、例えば、メール送受信に関するファイル、上記サーバ２にアクセスしてきた来店客３の会員登録に関するファイル、アクセス数を上記各ＱＲシート８，９に対応付けて計数する計数ファイル、上記各ＱＲシート８，９の数量管理ファイル等が備えられている。
【００３７】
上記携帯電話機４は、来店客３が携帯するものであって、少なくとも入力機能と表示機能とカメラ機能とメール機能とブラウザ機能とＱＲコードデコード機能を備えていることが要件とされる。
【００３８】
上記ＱＲシート製作者５は、上記商品販売者１からの注文を受けて上記各ＱＲシート８を製作し、且つこれを上記商品販売者１に納入する者であって、端末機５ａを備えており、上記サーバ２にアクセスして該サーバ２との間で情報の授受を行なうことができるようになっている。
【００３９】
次に、上記ビジネスシステムの動作を説明する。
【００４０】
上記商品販売者１は、上記サーバ２を介して、上記ＱＲシート製作者５に上記各ＱＲシート８，９を所定数量だけ発注する（ステップＳ１）。これを受けて（ステップＳ２）、上記ＱＲシート製作者５は、上記各ＱＲシート８，９を所定数量ずつ製作し、これを上記商品販売者１に納入する（ステップＳ３）。
【００４１】
上記商品販売者１は、上記各ＱＲシート８，９の納入を受けてこれらを貼付する。即ち、適宜の生活情報を表示するＵＲＬがＱＲコードとして印刷された上記第１のＱＲシート８は、店内広告等６及び店内で販売される特定の販売商品７に貼付する（ステップＳ４、ステップＳ５）。尚、上記第１のＱＲシート８を店内広告とか店内壁面に貼付する際には、その貼付位置を、来店客３の目に付き易く、且つ来店客３が自己の携帯電話機４によって容易に撮影し易い位置に設定することは言うまでもない。
【００４２】
また、上記第２のＱＲシート９は、特定の商品の包装に貼付される（ステップＳ５）。この場合、上記特定の商品の種類は単数である必要はなく、複数種類の商品にそれぞれ貼付しても良いことは勿論である。なお、この第２のＱＲシート９を貼付する商品の選定は自由であり、例えば、自店で販売している多数の商品の中から、自店の立地条件等から考えて売れ筋と思われる商品とか、利益率の高い商品等、即ち、売り上げ増加に寄与し得ると考えられる特定の商品の他に、例えば、売れ行きが芳しくなく特にその販売増を図りたい商品を選択してこれに上記第２のＱＲシート９を貼付するのが好ましいと言える。
【００４３】
尚、上記商品販売者１は、上記ＱＲシート製作者５から納入された上記各ＱＲシート８，９の納入数、及び店内広告等６及び販売商品７に貼付した上記各ＱＲシート８，９の使用数を上記サーバ２に入力し保存している（ステップＳ１）。また、上記ＱＲシート製作者５は、上記サーバ２にアクセスすることで、該サーバ２から上記各ＱＲシート８，９の使用状況等を逐一確認することができる。
【００４４】
以上のように、上記店内広告等６及び上記販売商品７に上記第１のＱＲシート８が、また上記販売商品７に上記第２のＱＲシート９が、それぞれ貼付された状態で販売業務が開始されると、店舗に来た客、即ち、来店客３は、店内において自己が携帯する携帯電話機４によって、関心のある店内広告等６又は購入しようとする販売商品７が見つかった場合には、その店内広告等６に貼付された第１のＱＲシート８を撮影し（ステップＳ１３）、また上記販売商品７を購入してここに貼付された第１のＱＲシート８を撮影する（ステップＳ１１）ことで、該第１のＱＲシート８に印刷されたＱＲ情報を取得する（ステップＳ１２、ステップＳ１４）。
【００４５】
また、上記来店客３は、購入を希望する商品に上記第２のＱＲシート９が貼付されている場合、あるいは景品の取得を希望して上記第２のＱＲシート９が貼付された商品を捜していたところこれを見つけた場合は、この販売商品７を購入した上で、該第２のＱＲシート９のＩＤ印刷部分を覆っている剥離シールを剥がした後、該第２のＱＲシート９を自己が携帯する携帯電話機４によって撮影し（ステップＳ１１）、該第２のＱＲシート９に印刷されたＱＲ情報を取得する（ステップＳ１２）。
【００４６】
そして、これら第１のＱＲシート８又は第２のＱＲシート９のＱＲ情報を取得した来店客３は、そのままメール送信キーを押して、上記サーバ２のＵＲＬにアクセスする（ステップＳ１５）。
【００４７】
ここで、上記アクセスが、上記第１のＱＲシート８のＱＲ情報の取得に基づいてなされたものである場合には、上記サーバ２の生活情報ファイルから上記携帯電話機４に対して生活情報が送信され（ステップＳ１７）、上記携帯電話機４の表示部に生活情報が表示される（ステップＳ２１）。
【００４８】
一方、上記アクセスが、上記第２のＱＲシート９のＱＲ情報の取得に基づいてなされたものである場合には、先ず、上記サーバ２は、上記データベース２ａの会員登録ファイルから上記来店客３の上記携帯電話機４に対して、会員登録に関するデータを送信する（ステップＳ１６）。従って、上記来店客３は、上記携帯電話機４から上記データに所要事項を書き込んでこれを送信する（ステップＳ１６）。そして、上記サーバ２は、上記来店客３から会員登録に関する書込み情報を受け取ったのち、景品情報ファイルから上記携帯電話機４に対して景品情報を送信し（ステップＳ１７）、上記携帯電話機４の表示部に景品情報を表示させる（ステップＳ２１）。
【００４９】
なお、この実施形態では、上述のように、景品情報の取得に際して、会員登録の手続が完了することを条件としているが、本願発明はこれに限定されるものではなく、例えば、生活情報の取得の場合と同様に、会員登録の手続を条件とすることなく景品情報を取得できるようにすることも可能である。
【００５０】
なお、上記サーバ２の上記データベース２ａには、上記来店客３によって取得されたＱＲ情報が第１のＱＲシート８と第２のＱＲシート９の何れであるのかという情報、各来店客３個々のアクセス数（即ち、来店回数）の関する情報、アクセスの日時に関する情報等が、それぞれ記録保存される。
【００５１】
上記来店客３からの返信メールを受けて、上記サーバ２は、当該来店客３をそのメールアドレスに対応させて会員情報として、登録保存する。この会員情報は、上記商品販売者１においては、上記端末機１ａから上記サーバ２の会員登録ファイルにアクセスすることでこれを取得し、商品の販売促進（例えば、ダイレクトメールの送付等）に利用することができる（ステップＳ１８）。
【００５２】
一方、生活情報又は景品情報を取得した来店客３は、その取得情報の種類によって、以下のような対応をとる。即ち、上記来店客３が取得したＱＲ情報が料理のレシピ等の生活情報である場合には（ステップＳ２２）、これを上記携帯電話機４に保存して利用することができる（ステップＳ２３）。このように、来店することによって有用な生活情報が得られることで、来店客３は次回も有用な生活情報を得たいと考えるのが自然であり、これによって来店客３のリピータ化が促進され、延いては商品の販売促進、売上高の増進が期待できる。
【００５３】
尚、このような来店客３のリピータ化は、上記第１のＱＲシート８が店内広告等６又は上記販売商品７に貼付された場合（ステップＳ４、ステップＳ５）、及び上記第２のＱＲシート９が店内の販売商品７に貼付された場合（ステップＳ５）の何れにおいても、来店しないとこれら各シール８，９のＱＲ情報を取得できない、という来店客３に対する心理的効果によっても得られるものである。
【００５４】
一方、上記来店客３が取得したＱＲ情報が景品情報である場合には（ステップＳ２４）、該来店客３は上記携帯電話機４から上記商品販売者１の端末機１ａに景品としての商品券の受け取りを請求するメールを送信し（ステップＳ２５）、あるいは店内で直接上記商品販売者１に商品券の受け取りを請求する。この請求に対して、上記商品販売者１から上記来店客３に商品券が引き渡される（ステップＳ２６）。
【００５５】
上記商品販売者１から商品券を受領した来店客３は、この商品券が「自店等においてのみ使用可能な商品券」であることから、その商品券を使用するためには、自ずと自店等に来店しなければならず、来店した場合にはその商品券で新たな商品を購入することになる（ステップＳ２７）。この結果、上記来店客３のリピータ化が促進され、延いては商品の販売促進、売上高の増進が期待できる。
【００５６】
他方、上記商品販売者１は、上記サーバ２から商品の販売状況に関する情報を取得し、これに基づいて販売戦略を立案することができる。例えば、一週のうちどの曜日に来店客３が多く、どの曜日に少ないのか、また一日のうちのどの時間帯に来店客３が多くなるのか等を客観的に把握することができるので、何曜日の何時頃にはどの商品を多く用意するとか、その商品に貼付する第２のＱＲシート９を何枚ほど注文すれば良いのか、等を的確に判断することが可能となる。
【００５７】
また、上記ＱＲシート製作者５においては、上記第２のＱＲシート９が貼付された商品の販売促進によって上記商品販売者１からの上記第２のＱＲシート９の受注量が増加するという直接的な利益が得られる他に、例えば、上記第２のＱＲシート９の製作計画をより的確に立てることができ、特に該第２のＱＲシート９が貼付された商品の売れ行きを把握することで、この商品の販売数が急増したような場合でも第２のＱＲシート９の不足という事態の発生を未然に回避できるという付随的な利益も得られるものである。
【００５８】
なお、上記実施形態においては、上記サーバ２の運営を上記商品販売者１が行なうものとしたが、これに限定されるものではなく、例えば、上記ＱＲシート製作者５が上記サーバ２の運営主体となることも可能なことは言うまでも無い。
【００５９】
以上のように、この実施形態に係るビジネスシステムによれば、店内に掲示される広告等６又は店内の販売商品７に生活情報を表示するＵＲＬがＱＲコードとして印刷された第１のＱＲシート８を貼付するとともに、店内にて販売される上記販売商品７に商品券を景品とする景品情報を表示するＵＲＬがＱＲコードとして印刷された第２のＱＲシート９を貼付し、これら各ＱＲ情報を来店客３が携帯電話機４によって撮影して取得するという簡易な手法を用いることで、商品販売者１と来店客３及びＱＲシート製作者５の三者が共に利益を享受し得るものであって、実用上極めて有用性が高いビジネスシステムである。
【符号の説明】
【００６０】
１    ・・商品販売者
２    ・・サーバ
３    ・・来店客
４    ・・携帯電話機
５    ・・ＱＲシート製作者
６    ・・店内広告等
７    ・・販売商品
８    ・・第１のＱＲシール
９    ・・第２のＱＲシール
【図１】
2011065398.tif 000003